【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
複数のプログラムのセットであるプログラムセットを配信する配信装置と、情報処理装置とを有する配信システムであって、
前記情報処理装置は、
前記プログラムセットの公開に関する設定を行う設定手段と、
前記プログラムセットの編集を行うための画面を表示装置に表示する表示手段と、を有し、
前記配信装置は、
前記設定手段により前記プログラムセットが公開されるよう設定された場合には、当該プログラムセットの内容の変更を許可するよう決定し、前記設定手段により前記プログラムセットが公開されるよう設定されなかった場合には、当該プログラムセットの内容の変更を許可しないよう決定する決定手段と、
前記決定手段によりプログラムセットの内容の変更を許可しないことが決定された場合に、前記表示手段により表示される画面として、当該プログラムセットの内容の変更が不可能な画面を前記情報処理装置に提供する提供手段と、を有することを特徴とする配信システム。
【請求項２】
複数のプログラムのセットであるプログラムセットを配信する配信装置であって、
前記プログラムセットの公開に関する設定に応じて、当該プログラムセットの内容の変更を許可するか否かを決定する決定手段と、
前記決定手段により、プログラムセットの内容の変更を許可しないことが決定されると、当該プログラムセットの編集を行うための画面として、当該プログラムセットの内容の変更が不可能な画面を、ネットワークを介して相互に接続された情報処理装置に提供する提供手段と、を有することを特徴とする配信装置。
【請求項３】
前記プログラムセットの属性に基づいて、当該プログラムセットを、ネットワークを介してリモートで更新できるか否かを判定する判定手段を更に有し、
前記決定手段は、前記プログラムセットを、ネットワークを介してリモートで更新できる場合には、当該プログラムセットを構成するプログラムの組み合わせの変更を許可するか否かを決定し、前記プログラムセットを、ネットワークを介してリモートで更新できない場合には、当該プログラムセットの差し替えを許可するか否かを決定することを特徴とする請求項２に記載の配信装置。
【請求項４】
前記決定手段は、前記プログラムセットの公開に関する設定に基づいて、当該プログラムセットが公開されているか否かを判定し、当該プログラムセットが公開されていると、当該プログラムセットの内容の変更を許可し、当該プログラムセットが公開されていないと、当該プログラムセットの内容の変更を許可しないことを特徴とする請求項２又は３に記載の配信装置。
【請求項５】
前記提供手段は、前記決定手段により、プログラムセットの内容の変更を許可しないことが決定されると、当該プログラムセットの編集を行うための画面として、当該プログラムセットの内容の変更を指示する操作部を有しない画面を提供し、
前記決定手段により、プログラムセットの内容の変更を許可しないことが決定されると、当該プログラムセットの編集を行うための画面として、当該プログラムセットの内容の変更を指示する操作部を有する画面を提供することを特徴とする請求項２〜４の何れか１項に記載の配信装置。
【請求項６】
前記プログラムセットの公開に関する設定と、当該プログラムセットを構成するプログラムのデータと、当該プログラムセットを構成するプログラムを識別する情報とを、前記情報処理装置から取得する取得手段と、
前記取得手段により取得された、前記プログラムセットの公開に関する設定と、当該プログラムセットを構成するプログラムのデータと、当該プログラムセットを構成するプログラムを識別する情報とを、相互に関連付けて記憶媒体に記憶する記憶手段と、を更に有することを特徴とする請求項２〜５の何れか１項に記載の配信装置。
【請求項７】
前記プログラムセットに追加される追加プログラムの公開に関する設定に応じて、当該追加プログラムの変更を許可するか否かを決定する第２の決定手段と、
前記第２の決定手段により、追加プログラムの変更を許可することが決定されると、当該追加プログラムの編集を行うための画面として、当該追加プログラムの変更が可能な画面を、前記情報処理装置に提供する第２の提供手段と、を更に有することを特徴とする請求項２〜６の何れか１項に記載の配信装置。
【請求項８】
前記プログラムセットの編集を行うための画面と、前記追加プログラムの編集を行うための画面とが同一の画面に含まれることを特徴とする請求項７に記載の配信装置。
【請求項９】
複数のプログラムのセットであるプログラムセットを配信する配信装置と、情報処理装置とを用いてプログラムセットを配信する配信方法であって、
少なくとも、
前記プログラムセットの公開に関する設定を行う設定ステップと、
前記プログラムセットの編集を行うための画面を表示装置に表示する表示ステップと、を前記情報処理装置により行い、
少なくとも、
前記設定ステップにより前記プログラムセットが公開されるよう設定された場合には、当該プログラムセットの内容の変更を許可するよう決定し、前記設定ステップにより前記プログラムセットが公開されるよう設定されなかった場合には、当該プログラムセットの内容の変更を許可しないよう決定する決定ステップと、
前記決定ステップによりプログラムセットの内容の変更を許可しないことが決定された場合に、前記表示ステップにより表示される画面として、当該プログラムセットの内容の変更が不可能な画面を前記情報処理装置に提供する提供ステップと、を前記配信装置により行うことを特徴とする配信方法。
【請求項１０】
複数のプログラムのセットであるプログラムセットを配信する配信方法であって、
前記プログラムセットの公開に関する設定に応じて、当該プログラムセットの内容の変更を許可するか否かを決定する決定ステップと、
前記決定ステップにより、プログラムセットの内容の変更を許可しないことが決定されると、当該プログラムセットの編集を行うための画面として、当該プログラムセットの内容の変更が不可能な画面を、ネットワークを介して相互に接続された情報処理装置に提供する提供ステップと、を有することを特徴とする配信方法。
【請求項１１】
前記プログラムセットの属性に基づいて、当該プログラムセットを、ネットワークを介してリモートで更新できるか否かを判定する判定ステップを更に有し、
前記決定ステップは、前記プログラムセットを、ネットワークを介してリモートで更新できる場合には、当該プログラムセットを構成するプログラムの組み合わせの変更を許可するか否かを決定し、前記プログラムセットを、ネットワークを介してリモートで更新できない場合には、当該プログラムセットの差し替えを許可するか否かを決定することを特徴とする請求項１０に記載の配信方法。
【請求項１２】
前記決定ステップは、前記プログラムセットの公開に関する設定に基づいて、当該プログラムセットが公開されているか否かを判定し、当該プログラムセットが公開されていると、当該プログラムセットの内容の変更を許可し、当該プログラムセットが公開されていないと、当該プログラムセットの内容の変更を許可しないことを特徴とする請求項１０又は１１に記載の配信方法。
【請求項１３】
前記提供ステップは、前記決定ステップにより、プログラムセットの内容の変更を許可しないことが決定されると、当該プログラムセットの編集を行うための画面として、当該プログラムセットの内容の変更を指示する操作部を有しない画面を提供し、前記決定ステップにより、プログラムセットの内容の変更を許可しないことが決定されると、当該プログラムセットの編集を行うための画面として、当該プログラムセットの内容の変更を指示する操作部を有する画面を提供することを特徴とする請求項１０〜１２の何れか１項に記載の配信方法。
【請求項１４】
前記プログラムセットの公開に関する設定と、当該プログラムセットを構成するプログラムのデータと、当該プログラムセットを構成するプログラムを識別する情報とを、前記情報処理装置から取得する取得ステップと、
前記取得ステップにより取得された、前記プログラムセットの公開に関する設定と、当該プログラムセットを構成するプログラムのデータと、当該プログラムセットを構成するプログラムを識別する情報とを、相互に関連付けて記憶媒体に記憶する記憶ステップと、を更に有することを特徴とする請求項１０〜１３の何れか１項に記載の配信方法。
【請求項１５】
前記プログラムセットに追加される追加プログラムの公開に関する設定に応じて、当該追加プログラムの変更を許可するか否かを決定する第２の決定ステップと、
前記第２の決定ステップにより、追加プログラムの変更を許可することが決定されると、当該追加プログラムの設定を行うための画面として、当該追加プログラムの変更が可能な画面を、前記情報処理装置に提供する第２の提供ステップと、を更に有することを特徴とする請求項１０〜１４の何れか１項に記載の配信方法。
【請求項１６】
前記プログラムセットの編集を行うための画面と、前記追加プログラムの設定を行うための画面とが同一の画面に含まれることを特徴とする請求項１５に記載の配信方法。
【請求項１７】
請求項９〜１６の何れか１項に記載の配信方法の各ステップをコンピュータに実行させることを特徴とするコンピュータプログラム。
【手続補正２】
【補正対象書類名】明細書
【補正対象項目名】０００５
【補正方法】変更
【補正の内容】
【０００５】
本発明の配信システムは、複数のプログラムのセットであるプログラムセットを配信する配信装置と、情報処理装置とを有する配信システムであって、前記情報処理装置は、前記プログラムセットの公開に関する設定を行う設定手段と、前記プログラムセットの編集を行うための画面を表示装置に表示する表示手段と、を有し、前記配信装置は、前記設定手段により前記プログラムセットが公開されるよう設定された場合には、当該プログラムセットの内容の変更を許可するよう決定し、前記設定手段により前記プログラムセットが公開されるよう設定されなかった場合には、当該プログラムセットの内容の変更を許可しないよう決定する決定手段と、前記決定手段によりプログラムセットの内容の変更を許可しないことが決定された場合に、前記表示手段により表示される画面として、当該プログラムセットの内容の変更が不可能な画面を前記情報処理装置に提供する提供手段と、を有することを特徴とする。
【手続補正３】
【補正対象書類名】明細書
【補正対象項目名】０００６
【補正方法】変更
【補正の内容】
【０００６】
本発明によれば、同一の組み合わせのプログラムセットであるべきなのにも関わらず、組み合わせの異なるプログラムセットが市場に出回ることを防ぐことができる。